(57)【特許請求の範囲】
【請求項１】
上下方向に向けた基板の表面に設けられたクッション材を表皮材で覆い、該表皮材の周縁部に取付けられた可撓性の締付紐条を、前記基板の裏面側で緊張させて表皮材の周縁部をすぼめるようにした椅子の背凭れ用シート構造体において、
前記基板を、上下方向の中央部よりやや下部寄りに裏面方向へ側面視ほぼく字状に屈曲する屈曲部を有する形状に構成し、該屈曲部付近であって、かつ前記基板の裏面の幅方向両側に、前記締付紐条を引掛けて緊張させたときに、前記締付紐条が基板の裏面から離れるのを防止する係止部を形成し、さらに、前記締付紐条の両端部を、基板の裏面下部において緊張させて結束したことを特徴とする椅子の背凭れ用シート構造体。
【請求項２】
係止部を、入口が狭く奥側が広い後方に向かって開口する溝を形成した突片で構成したことを特徴とする請求項１記載の椅子の背凭れ用シート構造体。
【請求項３】
係止部の突片を、溝より内側の部分を外側の部分より後方への突出量を大とし、かつ内側の部分に、溝の入口に向かって傾斜する案内傾斜部を設けたことを特徴とする請求項１または２記載の椅子の背凭れ用シート構造体。
【請求項４】
基板の上端縁に正面視弧状の凹部を形成し、前記基板の裏面における前記凹部の下方に、締付紐条を引掛ける係止部を設けたことを特徴とする請求項１〜３のいずれか１項に記載の椅子の背凭れ用シート構造体。
【請求項５】
基板の表面に設けられたクッション材を表皮材で覆い、該表皮材の周縁部に取付けられた可撓性の締付紐条を、前記基板の裏面側で緊張させて前記表皮材の周縁をすぼめるようにした椅子の背凭れ用シート構造体の製造方法において、
前記基板を、上下方向の中央部よりやや下部寄りに裏面方向へ側面視ほぼく字状に屈曲する屈曲部を有する形状に構成し、前記基板の裏面における屈曲部の幅方向両側に、前記締付紐条を引掛けて緊張させたときに、前記締付紐条が基板の裏面から離れるのを防止する係止部を形成し、前記表皮材の周縁部の挿通部に締付紐条を挿通し、該締付紐条を前記挿通部とともに前記係止部に引掛け、前記締付紐条を緊張させて表皮材の周縁をすぼめた状態で、前記締付紐条の両端部を前記基板の裏面下部において結束することを特徴とする椅子の背凭れ用シート構造体の製造方法。
【発明の詳細な説明】
【技術分野】
【０００１】
本発明は、硬質の基板とクッション材および表皮材で構成され、椅子の背もたれまたは座として用いることのできる椅子の背凭れ用シート構造体およびその製造方法に関する。
【背景技術】
【０００２】
従来、硬質の基板上に発泡体からなるクッション材を設け、このクッション材を柔軟性の表皮材で包み込んだ椅子用座席であって、基板の裏面側において表皮材の周縁に挿通した締付紐条で緊張させて表皮材の周縁をすぼめるようにしたものが開示されている（例えば、特許文献１参照）。
【特許文献１】特開平１１−２７６７３１号公報
【発明の開示】
【発明が解決しようとする課題】
【０００３】
上記の特許文献に記載されている技術は、基板が平坦な座席シートに適用されるものであって、基板が中央付近で屈曲されている背もたれでは、締付紐条を緊張させて表皮材の周縁をすぼめると、屈曲部分において表皮材の周縁が基板から後方に大きく離れるとともに、屈曲部付近で表皮材に弛みが発生し易い等の問題がある。
【０００４】
本発明は、従来の技術が有する上記のような問題点に鑑み、屈曲部において、表皮材の周縁が基板から離れるのを防止するとともに、屈曲部付近で表皮材に弛みが発生することがなく、美観に優れた椅子の背凭れ用シート構造体およびその製造方法を提供することを目的としている。
【課題を解決するための手段】
【０００５】
本発明によると、上記課題は、次のようにして解決される。
(１)  上下方向に向けた基板の表面に設けられたクッション材を表皮材で覆い、該表皮材の周縁部に取付けられた可撓性の締付紐条を、前記基板の裏面側で緊張させて表皮材の周縁部をすぼめるようにした椅子の背凭れ用シート構造体において、前記基板を、上下方向の中央部よりやや下部寄りに裏面方向へ側面視ほぼく字状に屈曲する屈曲部を有する形状に構成し、該屈曲部付近であって、かつ前記基板の裏面の幅方向両側に、前記締付紐条を引掛けて緊張させたときに、前記締付紐条が基板の裏面から離れるのを防止する係止部を形成し、さらに、前記締付紐条の両端部を、基板の裏面下部において緊張させて結束する。
【０００６】
(２)  上記(１)項において、係止部を、入口が狭く奥側が広い後方に向かって開口する溝を形成した突片で構成する。
【０００７】
(３)  上記(１)または(２)項において、係止部の突片を、溝より内側の部分を外側の部分より後方への突出量を大とし、かつ内側の部分に、溝の入口に向かって傾斜する案内傾斜部を設ける。
【０００８】
(４)  上記(１)〜(３)項のいずれかにおいて、基板の上端縁に正面視弧状の凹部を形成し、前記基板の裏面における前記凹部の下方に、締付紐条を引掛ける係止部を設ける。
【０００９】
(５)  基板の表面に設けられたクッション材を表皮材で覆い、該表皮材の周縁部に取付けられた可撓性の締付紐条を、前記基板の裏面側で緊張させて前記表皮材の周縁をすぼめるようにした椅子の背凭れ用シート構造体の製造方法において、前記基板を、上下方向の中央部よりやや下部寄りに裏面方向へ側面視ほぼく字状に屈曲する屈曲部を有する形状に構成し、前記基板の裏面における屈曲部の幅方向両側に、前記締付紐条を引掛けて緊張させたときに、前記締付紐条が基板の裏面から離れるのを防止する係止部を形成し、前記表皮材の周縁部の挿通部に締付紐条を挿通し、該締付紐条を前記挿通部とともに前記係止部に引掛け、前記締付紐条を緊張させて表皮材の周縁をすぼめた状態で、前記締付紐条の両端部を前記基板の裏面下部において結束する。
【発明の効果】
【００１０】
本発明によると、次のような効果を奏することができる。
(ａ)請求項１記載の発明によると、基板の屈曲部の両側に位置する係止部を基板の裏面に形成したので、係止部に締付紐条を引掛けることにより、屈曲部においても表皮材は係止部の方向に引張られて、クッション材の表面に隙間なく張りつめられ、屈曲部において、表皮材の周縁が基板から離れるのを防止できるとともに、弛みが生じるのを防止することができ、美麗な外観を呈することができる。
【００１１】
(ｂ)請求項２記載の発明によると、係止部を、入口が狭く奥側が広い溝を形成した突片で構成したので、緊張時に締付紐条は溝に嵌まって抜けることが防止できる。
【００１２】
(ｃ)請求項３記載の発明によると、係止部の突片を、溝より内側の部分を外側の部分より、後方への突出量を大とし、かつ内側の部分に、溝の入口に向かって傾斜する案内傾斜部を設けたので、締付紐条を突片の案内傾斜部に沿って押しつけることにより、溝に簡単かつ確実に係止させることができる。
【００１３】
(ｄ)請求項４記載の発明によると、基板の上端縁に正面視弧状の凹部を形成し、該凹部の下側に位置する係止部を該基板の裏面に形成したので、弧状の凹部においても、表皮材はクッション材の表面に隙間なく迅速に、体裁よく張りつめられ、弛みを生じることがない。
【００１４】
(ｅ)請求項５記載の発明によると、表皮材の周縁部の挿通部に締付紐条を挿通し、該締付紐条を挿通部とともに基板に形成した係止部に引掛け、締付紐条を緊張させて表皮材の周縁をすぼめた状態で締付紐条の両端を結束するので、簡単な操作で、基板の屈曲部において表皮材をクッション材の表面に隙間なく迅速に、体裁よく張りつめることができる。
【発明を実施するための最良の形態】
【００１５】
以下、本発明の一実施形態を図面に基づいて説明する。
図１は、椅子の背もたれ用としたシート構造体の裏面図、図２は、一部切欠き側面図、図３は、図１のIII−III線に拡大断面図において、表皮材の係止操作を示す図、図４は、係止部のレイアウトを示す後方斜視図である。
【００１６】
図１および図２に示すように、椅子の背もたれ用のシート構造体(Ａ)は、基板(１)と、基板(１)にモールド成形されたクッション材(２)と、このクッション材(２)の表面を覆う表皮材(３)とにより構成されている。
【００１７】
基板(１)は、合成樹脂または金属等の硬質材で形成されたもので、外周縁(1a)と、この外周縁(1a)から裏面方向に突出する中央部の凸部(1b)とを備えている(図３参照)。この基板(１)は、上下方向の中央部よりやや下部寄りに裏面方向へほぼく字状に屈曲する屈曲部(４)が形成され、かつ上端部には、正面視において弧状に凹入する凹部(５)が形成されている。基板(１)の裏面の両側であって、屈曲部(４)付近に位置して係止部(６)が設けられている。
【００１８】
図３に示すように、この係止部(６)は、基板(１)の外周縁(1a)と凸部(1b)との隅部に設けられたほぼ水平の突片(７)に、入口が狭く奥側が広い後方に向かって開口する溝(８)を形成したものよりなっている。この突片(７)は、溝(８)に対して基板(１)の凸部(1b)寄りの内側の部分(7a)の後方への突出量を溝(８)より外側の部分(7b)より大とし、かつ後端縁に溝(８)の入口に向かう案内傾斜部(7c)を形成している。また、基板(１)の上端部の幅方向中央部にも、同形状の係止部(6a)が、上下方向に向けて、かつ溝(８)が左右方向を向くようにして設けられている。
【００１９】
クッション材(２)は、基板(１)の表面側に発泡体のモールド成形により取付けられ、このクッション材(２)を覆うように表皮材(３)が取付けられ、表皮材(３)の端縁部は基板(１)の裏面において内側に折り返されている。この端縁部の先端に袋状の挿通部(９)が形成されており、この挿通部(９)に可撓性の締付紐条(10)を挿通する。そして、図３(ａ)の矢印(11)に示すように、締付紐条(10)を挿通部(９)とともに内方に引き寄せて、係止部(６)に接近させ、図３(ｂ)に示すように、締付紐条(10)を挿通部(９)とともに溝(８)に引掛ける。この際、挿通部(９)を突片(７)の内側の部分(7a)に当てて、案内傾斜部(7c)に沿って前方へ押しつけることにより、確実に溝(８)に挿通部(９)および締付紐条(10)を係止させることができる。
【００２０】
最後に、締付紐条(10)の両端部(10a)を引張って緊張させた後結束することにより、締付紐条(10)が係止部(６)に引掛けられた状態で表皮材(３)の端縁部がすぼめられる。これにより、屈曲部(４)において、表皮材(３)の周縁が基板(１)から離れるのを防止することができるとともに、表皮材(３)は屈曲部(４)および凹部(５)付近においても弛みが発生せず、クッション材(２)の表面に均一に張りつめられる。
【００２１】
屈曲部(４)および凹部(５)等では、内方へのすぼまり力が働かないため、このままでは表皮材(３)に弛みが生じやすいが、本発明では、係止部(６)(6a)に締付紐条(10)を係止させて、表皮材(３)を内側へ引き寄せているため、このような現象は生じない。
【図面の簡単な説明】
【００２２】
【図１】本発明の一実施形態の裏面図である。
【図２】同じく、一部切欠き側面図である。
【図３】表皮材の係止操作を示す図であって、(ａ)は係止前、(ｂ)は係止後における図１のIII−III線に沿う拡大断面図である。
【図４】係止部のレイアウトを示す後方斜視図である。
【符号の説明】
【００２３】
(１)基板
(1a)外周縁
(1b)凸部
(２)クッション材
(３)表皮材
(４)屈曲部
(５)凹部
(６)係止部
(6a)係止部
(７)突片
(7a)内側の部分
(7b)外側の部分
(7c)案内傾斜部
(８)溝
(９)挿通部
(10)締付紐条
(10a)両端部
(11)矢印
(Ａ)シート構造体
【図１】
0004620950.tif 000002
【図２】
0004620950.tif 000003
【図３】
0004620950.tif 000004
【図４】
0004620950.tif 000005